(57)【特許請求の範囲】
【請求項１】
筒状の外部導体、固定端子及び該固定端子に鉛直方向の下側から圧接する可動端子を有するレセプタクルに着脱自在な検査用同軸コネクタにおいて、
前記外部導体と接触する筒状の先端部分を有しているハウジングと、
前記ハウジングと絶縁された状態で前記先端部分内を鉛直方向に延在しているプローブと、
を備えており、
前記プローブは、
前記先端部分に前記外部導体が接触したときに、前記固定端子に接触する導電部と、
前記プローブの下端を構成している絶縁部であって、前記先端部分に前記外部導体が接触したときに、前記可動端子を鉛直方向の下側に押して前記固定端子から引き離す絶縁部と、
を含んでいること、
を特徴とする検査用同軸コネクタ。
【請求項２】
前記導電部の鉛直方向の下端は、鉛直方向から平面視したときに、前記絶縁部の周囲を囲んでおり、かつ、前記固定端子に接触すること、
を特徴とする請求項１に記載の検査用同軸コネクタ。
【請求項３】
前記絶縁部は、前記導電部に対して鉛直方向の上側に移動可能であること、
を特徴とする請求項１又は請求項２のいずれかに記載の検査用同軸コネクタ。
【請求項４】
請求項１ないし請求項３のいずれかに記載の検査用同軸コネクタに着脱自在なレセプタクルであって、
本体と、
前記本体の鉛直方向の上側に設けられている筒状の外部導体と、
前記本体に設けられている固定端子と、
鉛直方向の上側から平面視したときに、前記筒状の外部導体に囲まれた領域内において前記固定端子に鉛直方向の下側から圧接している可動端子と、
を備えており、
前記固定端子の鉛直方向の下面は、該固定端子と前記可動端子とが並んでいる方向において、該可動端子が該固定端子に接触している部分と重なる部分において、前記本体に接触していること、
を特徴とするレセプタクル。
【発明の詳細な説明】
【技術分野】
【０００１】
本発明は、検査用同軸コネクタに関し、より特定的には、被検査体であるレセプタクルに着脱自在な検査用同軸コネクタ及びレセプタクルに関する。
【背景技術】
【０００２】
従来の検査用同軸コネクタとしては、例えば、特許文献１に記載の検査用プラグコネクタが知られている。図１２は、検査用プラグコネクタ５００がスイッチコネクタ６００に装着されていない状態における検査用プラグコネクタ５００及びスイッチコネクタ６００の断面構造図である。図１３は、検査用プラグコネクタ５００がスイッチコネクタ６００に装着されていない状態におけるスイッチコネクタ６００の平面図である。図１４は、検査用プラグコネクタ５００がスイッチコネクタ６００に装着された状態における検査用プラグコネクタ５００及びスイッチコネクタ６００の断面構造図である。図１５は、検査用プラグコネクタ５００がスイッチコネクタ６００に装着された状態におけるスイッチコネクタ６００の平面図である。図１６は、検査用プラグコネクタ５００がスイッチコネクタ６００に装着された状態におけるスイッチコネクタ６００の断面構造図である。
【０００３】
検査用プラグコネクタ５００は、図１２ないし図１５に示すように、プローブ５０２、導電性シェル５０４及び絶縁ハウジング５０６を備えている。導電性シェル５０４は、導電性材料からなり、円筒形をなしている。プローブ５０２は、導電性シェル５０４内を延在しており、導電性シェル５０４の先端から突出している。また、プローブ５０２は、導通部５０２ａ及び非導通部５０２ｂにより構成されている。導通部５０２ａは、図１２に示すように、プローブ５０２の左半分を構成しており、非導通部５０２ｂは、図１２に示すように、プローブ５０２の右半分を構成している。絶縁ハウジング５０６は、導電性シェル５０４内に設けられており、プローブ５０２と導電性シェル５０４とを絶縁している。
【０００４】
スイッチコネクタ６００は、図１２ないし図１５に示すように、絶縁ハウジング６０２、導電性シェル６０４及び可動コンタクト６０６，６０８（図１５参照）を備えている。絶縁ハウジング６０２は、スイッチコネクタ６００の本体を構成している。導電性シェル６０４は、導電性材料からなり円筒形状をなしており、導電性シェル６０４上に設けられている。可動コンタクト６０６，６０８はそれぞれ、弾性接触片部６０６ａ，６０８ａ及び導通接点部６０６ｂ，６０８ｂを備えている。そして、図１３に示すように、弾性接触片部６０６ａ，６０８ａはそれぞれ、導通接点部６０８ｂ，６０６ｂに接触している。これにより、可動コンタクト６０６と可動コンタクト６０８とが接続されている。
【０００５】
ここで、スイッチコネクタ６００において可動コンタクト６０８側の電気的特性を検査する際には、図１４に示すように、プローブ５０２は、導通部５０２ａが左側に位置し、非導通部５０２ｂが右側に位置するように、絶縁ハウジング６０２及び導電性シェル６０４内に挿入される。このとき、導電性シェル６０４が導電性シェル５０４内に挿入される。これにより、導電性シェル５０４の内周面と導電性シェル６０４の外周面とが接触し、導電性シェル５０４と導電性シェル６０４とが接続される。更に、プローブ５０２は、図１５に示すように、弾性接触片部６０６ａ，６０８ａ間に侵入し、弾性接触片部６０６ａ，６０８ａと導通接点部６０８ｂ，６０６ｂとを引き離す。この際、図１４に示すように、導通部５０２ａは、弾性接触片部６０８ａに接触し、非道通部５０２ｂは、弾性接触片部６０６ａに接触する。これにより、プローブ５０２の導通部５０２ａを介して、可動コンタクト６０８側の電気的特性を検査することが可能となる。
【０００６】
また、スイッチコネクタ６００において可動コンタクト６０６側の電気的特性を検査する際には、図１６に示すように、プローブ５０２は、導通部５０２ａが右側に位置し、非導通部５０２ｂが左側に位置するように、絶縁ハウジング６０２及び導電性シェル６０４内に挿入される。このとき、導電性シェル６０４が導電性シェル５０４内に挿入される。これにより、導電性シェル５０４の内周面と導電性シェル６０４の外周面とが接触し、導電性シェル５０４と導電性シェル６０４とが接続される。更に、プローブ５０２は、弾性接触片部６０６ａ，６０８ａ間に侵入し、弾性接触片部６０６ａ，６０８ａと導通接点部６０８ｂ，６０６ｂとを引き離す。この際、図１６に示すように、導通部５０２ａは、弾性接触片部６０６ａに接触し、非導通部５０２ｂは、弾性接触片部６０８ａに接触する。これにより、プローブ５０２の導通部５０２ａを介して、可動コンタクト６０６側の信号を検査することが可能となる。
【０００７】
以上のような検査用プラグコネクタ５００によれば、可動コンタクト６０６，６０８側の信号の検査を行うことができる。
【０００８】
しかしながら、特許文献１に記載の検査用プラグコネクタ５００では、可動端子（弾性接触片部に相当）が固定端子（導通接点部に相当）に対して鉛直方向の下側から圧接している特許文献２に記載の一般的な同軸コネクタにおいて、固定端子側の電気的特性の検査をすることができない。より詳細には、特許文献２に記載の同軸コネクタでは、可動端子は、固定端子に対して鉛直方向の下側から圧接している。そして、プローブ５０２により可動端子が押し下げられることにより、可動端子と固定端子とが引き離される。このような、同軸コネクタにおいて、検査用プラグコネクタ５００を適用すると、可動端子にプローブ５０２が接触すると、導通部５０２ａも非道通部５０２ｂも可動端子に接触してしまう。そのため、検査用プラグコネクタ５００を用いて、可動端子側の電気的特性を検査することは可能であるが、固定端子側の電気的特性の検査をすることは不可能である。
【先行技術文献】
【特許文献】
【０００９】
【特許文献１】特開２００９−１２９６９０号公報
【特許文献２】特開平１１−２６５７６１号公報
【発明の概要】
【発明が解決しようとする課題】
【００１０】
そこで、本発明の目的は、可動端子が固定端子に対して鉛直方向の下側から圧接しているレセプタクルの固定端子側の電気的特性を検査できる検査用同軸コネクタ及びレセプタクルを提供することである。
【課題を解決するための手段】
【００１１】
本発明の一形態に係る検査用同軸コネクタは、筒状の外部導体、固定端子及び該固定端子に鉛直方向の下側から圧接する可動端子を有するレセプタクルに着脱自在な検査用同軸コネクタにおいて、前記外部導体と接触する筒状の先端部分を有しているハウジングと、前記ハウジングと絶縁された状態で前記先端部分内を鉛直方向に延在しているプローブと、を備えており、前記プローブは、前記先端部分に前記外部導体が接触したときに、前記固定端子に接触する導電部と、前記プローブの下端を構成している絶縁部であって、前記先端部分に前記外部導体が接触したときに、前記可動端子を鉛直方向の下側に押して前記固定端子から引き離す絶縁部と、を含んでいること、を特徴とする。
【００１２】
本発明の一形態に係るレセプタクルは、前記検査用同軸コネクタに着脱自在なレセプタクルであって、本体と、前記本体の鉛直方向の上側に設けられている筒状の外部導体と、前記本体に設けられている固定端子と、鉛直方向の上側から平面視したときに、前記筒状の外部導体に囲まれた領域内において前記固定端子に鉛直方向の下側から圧接している可動端子と、を備えており、前記固定端子の鉛直方向の下面は、該固定端子と前記可動端子とが並んでいる方向において、該可動端子が該固定端子に接触している部分と重なる部分において、前記本体に接触していること、を特徴とする。
【発明の効果】
【００１３】
本発明によれば、可動端子が固定端子に対して鉛直方向の下側から圧接しているレセプタクルの固定端子側の電気的特性を検査できる。
【図面の簡単な説明】
【００１４】
【図１】本発明の一実施形態に係る検査用同軸コネクタの断面構造図である。
【図２】図１の検査用同軸コネクタの外観斜視図である。
【図３】図１の検査用同軸コネクタの分解斜視図である。
【図４】検査用同軸コネクタ１のプローブの分解斜視図である。
【図５】レセプタクルの外観斜視図である。
【図６】レセプタクルの断面構造図である。
【図７】レセプタクルの外部導体を取り外したときの外観斜視図である。
【図８】レセプタクル及び検査用同軸コネクタの断面構造図である。
【図９】レセプタクル及び検査用同軸コネクタの断面構造図である。
【図１０】変形例に係るプランジャの断面構造図である。
【図１１】変形例に係るプランジャが、可動端子に接触しているときの断面構造図である。
【図１２】検査用プラグコネクタがスイッチコネクタに装着されていない状態における検査用プラグコネクタ及びスイッチコネクタの断面構造図である。
【図１３】検査用プラグコネクタがスイッチコネクタに装着されていない状態におけるスイッチコネクタの平面図である。
【図１４】検査用プラグコネクタがスイッチコネクタに装着された状態における検査用プラグコネクタ及びスイッチコネクタの断面構造図である。
【図１５】検査用プラグコネクタがスイッチコネクタに装着された状態におけるスイッチコネクタの平面図である。
【図１６】検査用プラグコネクタがスイッチコネクタに装着された状態におけるスイッチコネクタの断面構造図である。
【発明を実施するための形態】
【００１５】
（検査用同軸コネクタの構造）
以下に、本発明の一実施形態に係る検査用同軸コネクタの構造について、図面を参照して説明する。図１は、本発明の一実施形態に係る検査用同軸コネクタ１の断面構造図である。図２は、図１の検査用同軸コネクタ１の外観斜視図である。図３は、図１の検査用同軸コネクタ１の分解斜視図である。図４は、検査用同軸コネクタ１のプローブ１０の分解斜視図である。図１及び図２において、検査用同軸コネクタ１のプローブ１０が延在している方向を鉛直方向の上下方向（または、単に上下方向と称す）とする。
【００１６】
検査用同軸コネクタ１は、被検査体であるレセプタクルに着脱自在であって、図１ないし図３に示すように、プローブ１０、ブッシング２０、ディスク２１、ハウジング２５及び規制部材５０を備えている。プローブ１０は、図１及び図４に示すように、プランジャ１１、コイルばね１２及びバレル１３にて構成されている。プランジャ１１は、図１及び図４に示すように、プランジャ本体１１ｂ及び先端部１１ａを含んでいる。
【００１７】
プランジャ本体１１ｂは、上端に平坦部分を有するベリリウム銅製のピンであり、導電部を構成している。プランジャ本体１１ｂの下端は、図１及び図４に示すように円筒形状をなしている。
【００１８】
先端部１１ａは、プローブ１０の下端を構成しており、樹脂等の絶縁性材料により作製されている絶縁部を構成している。先端部１１ａは、円柱形状をなしており、円柱形状の下面において下側に突出する突起を有している。そして、先端部１１ａは、プランジャ本体１１ｂの先端内に挿入されることにより、該プランジャ本体１１ｂに取り付けられている。このとき、先端部１１ａの下端は、プランジャ本体１１ｂの下端よりも下側に位置している。更に、プランジャ本体１１ｂの下端は、鉛直方向から平面視したときに、先端部１１ａの周囲を囲んでいる。
【００１９】
バレル１３は、下側に開口を有する真鍮製の筒状の部材である。バレル１３の内部には、プランジャ１１及びコイルばね１２が挿入されている。これにより、プランジャ１１は、下側から押さえつけられた場合、コイルばね１２が縮んで上側に退避することができる。
【００２０】
また、バレル１３の上側には、溝１３ａが設けられている。そして、図１に示すように、同軸ケーブル４０の中心導体４１が溝１３ａに嵌め込まれてはんだ付けされることにより、バレル１３と中心導体４１とが接続されている。プランジャ１１の上側の端部近傍の外周面は、バレル１３の円筒部分の内周面に接触しているので、プランジャ１１と中心導体４１とがバレル１３を介して電気的に接続されている。
【００２１】
ハウジング２５は、図１ないし図３に示すように、上部２５ａ及び下部２５ｂにより構成されている。上部２５ａは、相対的に大きな径を有する導電性部材（例えば、ベリリウム銅）からなる筒状体である。上部２５ａの側面には、開口部２９が設けられている。下部２５ｂは、上部２５ａの下側において該上部２５ａと一体的に設けられており、相対的に小さな径を有する導電性部材（例えば、ベリリウム銅）からなる筒状体である。上部２５ａ及び下部２５ｂは、同軸ケーブル４０のシールド導体４２にアダプタ４３を介して電気的に接続されている。
【００２２】
下部２５ｂは、図１及び図３に示すように、先端部２６ａ及び突部２６ｂを含んでいる。先端部２６ａは、下部２５ｂの下側における先端部分であり、後述するレセプタクルの外部導体が挿入される。先端部２６ａは、下部２５ｂの該先端部２６ａ以外の部分よりも小さな径を有する円筒状をなし、かつ、該先端部２６ａの径が伸縮可能な構造を有している。具体的には、図３に示すように、先端部２６ａには、先端部２６ａの先端から上方向に延在するスリットＳが設けられている。これにより、先端部２６ａのばね性により、スリットＳが広がることにより、先端部２６ａは、水平方向に広がることができる。また、突部２６ｂは、図１に示すように、先端部２６ａの先端の内周面において、先端部２６ａの中心方向に突出するように設けられている。
【００２３】
ディスク２１は、円盤状の部材であり、図１及び図３に示すように、ハウジング２５の上部２５ａの上側の開口をふさぐように設けられている。
【００２４】
ブッシング２０は、樹脂等の絶縁体からなる筒状体である。ブッシング２０には、図１に示すように、プローブ１０が挿入されて固定されている。ブッシング２０の先端からは、プローブ１０の先端が突出している。
【００２５】
更に、プローブ１０が挿入されたブッシング２０は、図１に示すように、筒状のハウジング２５に挿入されて固定されている。ブッシング２０は絶縁体により構成されているので、プローブ１０とハウジング２５とは絶縁されている。また、プランジャ１１は、ハウジング２５の先端部２６ａ内を延在していると共に、該先端部２６ａから突出している。
【００２６】
規制部材５０は、図１ないし図３に示すように、円筒形状をなしており、ハウジング２５に取り付けられている。具体的には、規制部材５０の内径は、先端部２６ａの外径よりも大きい。そして、規制部材５０は、先端部２６ａ側（すなわち、下側）から、ハウジング２５の下部２５ｂに対して圧入されることにより、ハウジング２５に固定されている。これにより、規制部材５０は、先端部２６ａの周囲を取り囲むようになる。すなわち、規制部材５０の内周面は、先端部２６ａの外周面と対向している。以上のように構成された規制部材５０は、レセプタクルが装着されているときに、先端部２６ａの径が大きく広がることを規制する役割を果たす。
【００２７】
（検査用同軸コネクタの組立て手順）
次に、検査用同軸コネクタ１の組立て手順について図３及び図４を参照しながら説明する。
【００２８】
まず、図４に示すように、プランジャ本体１１ｂの先端に先端部１１ａを取り付けて、プランジャ１１を組み立てる。次に、下側からバレル１３にコイルばね１２及びプランジャ１１を挿入し、プローブ１０を組み立てる。次に、図３に示すように、上側から該プローブ１０をブッシング２０の中心孔に挿入する。次に、上側からブッシング２０をハウジング２５の中心孔に挿入する。
【００２９】
次に、図３に示すように、同軸ケーブル４０の中心導体４１をハウジング２５の開口部２９（図１参照）から挿入してバレル１３の溝部１３ａにはんだ付けする。これにより、中心導体４１は、バレル１３及びコイルばね１２を介してプランジャ１１と電気的に接続される。また、同軸ケーブル４０のシールド導体４２と接続されているアダプタ４３をハウジング２５の開口部２９に嵌合させ、リング４４をアダプタ４３の外周部にかしめる。これにてシールド導体４２がアダプタ４３を介してハウジング２５と電気的に導通状態となる。なお、同軸ケーブル４０の一端には、測定器への接続用コネクタ（図示せず）が設けられている。
【００３０】
次に、図３に示すように、ディスク２１をハウジング２５の上面に載置する。最後に、規制部材５０を下側から下部２５ｂに対して圧入する。これにより、図１及び図２に示す検査用同軸コネクタ１が完成する。
【００３１】
（レセプタクルの構成）
次に、レセプタクルの構成について図面を参照しながら説明する。図５は、レセプタクル３００の外観斜視図である。図６は、レセプタクル３００の断面構造図である。図７は、レセプタクル３００の外部導体３０５を取り外したときの外観斜視図である。
【００３２】
レセプタクル３００は、例えば、携帯電話のアンテナと送受信回路との間に設けられるスイッチ付同軸コネクタであり、図５ないし図７に示すように、上ケース３０１、下ケース３０３、外部導体３０５、固定端子３０６及び可動端子３０７を備えている。
【００３３】
上ケース３０１及び下ケース３０３は、組み合わされることによりレセプタクル３００の本体を構成しており、樹脂等の絶縁性材料により構成されている。下ケース３０３は、図６及び図７に示すように、長方形の板状の部材であり、レセプタクル３００の底面を構成している。上ケース３０１は、図５及び図６に示すように、下ケース３０３上に設けられ、板状部３０１ａ及び円筒部３０１ｂを含んでいる。板状部３０１ａは、長方形の板状の部材である。円筒部３０１ｂは、板状部３０１ａから上側に突出する円筒状の部材である。上ケース３０１には、鉛直方向に板状部３０１ａ及び円筒部３０１ｂを貫通する孔Ｈ１が設けられている。そして、板状部３０１ａの下面と下ケース３０３の上面とが対向するように、上ケース３０１と下ケース３０３とが重ねあわされる。
【００３４】
外部導体３０５は、図５及び図６に示すように、上ケース３０１の上側に設けられており、板状部３０５ａ及び円筒部３０５ｂを含んでいる。外部導体３０５は、導電性部材（例えば、ベリリウム銅）により構成されている。板状部３０５ａは、長方形状の板に４つの固定片が設けられたＨ字型をなしている。円筒部３０５ｂは、板状部３０５ａから上側に突出する円筒状の部材である。外部導体３０５には、鉛直方向に貫通する孔Ｈ２が設けられている。
【００３５】
外部導体３０５は、レセプタクル３００の上面を構成していると共に、上ケース３０１と下ケース３０３とを固定する役割を果たしている。具体的には、外部導体３０５は、板状部３０１ａが板状部３０５ａに重なり、かつ、円筒部３０１ｂが円筒部３０５ｂの孔Ｈ２内に収まるように、上ケース３０１及び下ケース３０３に取り付けられる。更に、板状部３０５ａの固定片は、図５に示すように、上ケース３０１の上面から下ケース３０３の下面に回りこむように、Ｕ字型に折り曲げられる。これにより、外部導体３０５は、上ケース３０１と下ケース３０３とを上下方向から挟み込んで固定している。
【００３６】
固定端子３０６は、図６及び図７に示すように、下ケース３０３の第１の辺から該第１の辺に対向する第２の辺に向かって延在するように下ケース３０３に設けられており、導電性部材（例えば、ベリリウム銅）により構成されている。固定端子３０６は、図６に示すように、上ケース３０１と下ケース３０３とに上下方向から挟み込まれることにより、上ケース３０１と下ケース３０３との間に固定されている。
【００３７】
可動端子３０７は、図６及び図７に示すように、下ケース３０３の第２の辺から第１の辺に向かって延在しており、導電性部材（例えば、ベリリウム銅）により構成されている。可動端子３０７は、図６に示すように、上ケース３０１と下ケース３０３とに上下方向から挟み込まれることにより、上ケース３０１と下ケース３０３との間に固定されている。
【００３８】
以上のように、固定端子３０６と可動端子３０７とは、第１の辺から第２の辺へと向かう方向（以下、第１の方向）において、この順に並んでいる。そして、固定端子３０６と可動端子３０７とは、互いに一部において上下方向に重なっている。更に、可動端子３０７は、第１の方向に直交する水平方向に平行な第２の方向に延在する板ばねをなしている。具体的には、可動端子３０７の第２の方向の両端は、下ケース３０３の上面に接触している。また、可動端子３０７の第２の方向の中央部分は、下ケース３０３から離れている。これにより、可動端子３０７は、第１の方向から見たときに、上側に突出するように湾曲している。そして、可動端子３０７は、図６及び図７に示すように、固定端子３０６と上下方向に重なっている部分において、固定端子３０６に下側から圧接している。すなわち、固定端子３０６と可動端子３０７とは、電気的に接続されている。
【００３９】
ここで、可動端子３０７は、図６に示すように、鉛直方向の上側から平面視したときに、外部導体３０５の円筒部３０５ｂ及び上ケース３０１の円筒部３０１ｂに囲まれている領域内（すなわち、孔Ｈ１，Ｈ２内）において、固定端子３０６に接触している。更に、固定端子３０６の一部は、図６に示すように、鉛直方向の上側から平面視したときに、孔Ｈ１，Ｈ２内において露出している。
【００４０】
更に、固定端子３０６の鉛直方向の下面は、図７に示すように、第１の方向において、可動端子３０７が固定端子３０６に接触している部分と重なる部分において、下ケース３０３の上面に接触している。
【００４１】
以上のようなレセプタクル３００は、携帯電話のマザーボード上に実装される。このとき、固定端子３０６はアンテナに接続され、可動端子３０７は送受信回路に接続される。
【００４２】
（検査用同軸コネクタの動作）
次に、検査用同軸コネクタ１の動作について図面を参照して説明する。図８は、レセプタクル３００及び検査用同軸コネクタ１の断面構造図である。図９は、レセプタクル３００及び検査用同軸コネクタ１'の断面構造図である。なお、図８及び図９では、検査用同軸コネクタ１，１'のプランジャ１１，１１'のみが示されており、検査用同軸コネクタ１，１'のプランジャ１１，１１'以外の構成は省略されている。
【００４３】
検査用同軸コネクタ１がレセプタクル３００に装着されていない状態では、図６に示すように、固定端子３０６と可動端子３０７とが接触しているので、アンテナと送受信回路とが電気的に接続されている。
【００４４】
ここで、アンテナの電気的特性をチェックする場合について説明する。この場合には、以下に説明するように、検査用同軸コネクタ１をレセプタクル３００に装着する。
【００４５】
まず、図８に示すように、測定器が接続されたプランジャ１１を上側から下側へと上ケース３０１の孔Ｈ２に挿入する。このとき、図１に示すように、外部導体３０５の円筒部３０５ｂが先端部２６ａ内に挿入される。先端部２６ａの内径は、円筒部３０５ｂの外径よりも僅かに小さい。そのため、先端部２６ａは、円筒部３０５ｂの外周面に接触して、該円筒部３０５ｂにより僅かに押し広げられる。先端部２６ａが広げられると、先端部２６ａの外周面は、規制部材５０の内周面に圧接するようになる。これにより、規制部材５０は、先端部２６ａが広がりすぎることを抑制している。そして、突部２６ｂが円筒部３０５ｂの外周に形成された溝に係合する。これにより、検査用同軸コネクタ１は、適切な力でレセプタクル３００に嵌合するようになる。
【００４６】
前記のように先端部２６ａに外部導体３０５が接触すると、プランジャ１１の先端部１１ａの下端は、可動端子３０７に接触する。これにより、先端部１１ａは、図８に示すように、可動端子３０７を下側に押し下げて固定端子３０６から引き離す。更に、プランジャ本体１１ｂの下端は、図８に示すように、先端部２６ａに外部導体３０５が接触すると、固定端子３０６に接触する。その結果、固定端子３０６と可動端子３０７との電気的接続が切断されると共に、プランジャ１１（プランジャ本体１１ｂ）と固定端子３０６とが接続され、アンテナと測定器とが接続されるようになる。この際、可動端子３０７からの反発力によりコイルばね１２が縮んでプランジャ１１が上側に退避する。これにより、可動端子３０７の破損が防止されている。
【００４７】
次に、送受信回路の電気的特性をチェックする場合について説明する。この場合には、以下に説明するように、図９に示すように、導電性材料により構成されているプランジャ１１１を備えた検査用同軸コネクタ１'をレセプタクル３００に装着する。検査用同軸コネクタ１'の各構成の内の検査用同軸コネクタ１と同じ構成については、同じ参照符号を用いる。
【００４８】
まず、図９に示すように、測定器が接続されたプランジャ１１１を上側から下側へと上ケース３０１の孔Ｈ２に挿入する。このとき、外部導体３０５の円筒部３０５ｂが先端部２６ａ内に挿入される。先端部２６ａの内径は、円筒部３０５ｂの外径よりも僅かに小さい。そのため、先端部２６ａは、円筒部３０５ｂの外周面に接触して、該円筒部３０５ｂにより僅かに押し広げられる。先端部２６ａが広げられると、先端部２６ａの外周面は、規制部材５０の内周面に圧接するようになる。これにより、規制部材５０は、先端部２６ａが広がりすぎることを抑制している。そして、突部２６ｂが円筒部３０５ｂの外周に形成された溝に係合する。これにより、検査用同軸コネクタ１’は、適切な力でレセプタクル３００に嵌合するようになる。
【００４９】
前記のように先端部２６ａに外部導体３０５が接触すると、プランジャ１１１は、可動端子３０７に接触する。これにより、プランジャ１１１は、図８に示すように、可動端子３０７を下側に押して固定端子３０６から引き離す。その結果、固定端子３０６と可動端子３０７との電気的接続が切断されると共に、プランジャ１１１と可変端子３０７とが接続され、送受信回路と測定器とが接続されるようになる。
【００５０】
（効果）
以上のように構成された検査用同軸コネクタ１は、以下に説明するように、可動端子３０７が固定端子３０６に対して鉛直方向の下側から圧接しているレセプタクル３００の固定端子３０６側の電気的特性を検査できる。より詳細には、検査用同軸コネクタ１では、プランジャ１１の先端は、絶縁体材料からなる先端部１１ａにより構成されている。そのため、プランジャ１１により可動端子３０７を鉛直方向の下側に押し下げる際には、先端部１１ａが可動端子３０７に接触する。この際、プランジャ本体１１ｂと可動端子３０７とは、電気的に接続されない。ただし、プランジャ本体１１ｂは、固定端子３０６に接触する。そのため、プランジャ本体１１ｂは、固定端子３０６と電気的に接続される。よって、プローブ１０と固定端子３０６とが電気的に接続されるようになる。その結果、検査用同軸コネクタ１では、可動端子３０７が固定端子３０６に対して鉛直方向の下側から圧接しているレセプタクル３００の固定端子３０６側の電気的特性を検査できる。
【００５１】
また、検査用同軸コネクタ１では、プランジャ本体１１ｂの鉛直方向の下端は、鉛直方向から平面視したときに、先端部１１ａの周囲を囲んでいる。そのため、プローブ１０を中心軸として検査用同軸コネクタ１を回転させても、プランジャ本体１１ｂは、固定端子３０６に常に接触するようになる。その結果、検査用同軸コネクタ１の向きを特定の方向にセットして、該検査用同軸コネクタ１をレセプタクル３００に装着する必要がない。
【００５２】
また、固定端子３０６の鉛直方向の下面は、図７に示すように、第１の方向において、可動端子３０７が固定端子３０６に接触している部分と重なる部分において、下ケース３０３の上面に接触している。そのため、固定端子３０６は、プランジャ本体１１ｂにより上側から押されたとしても、下ケース３０３により支持されているので、塑性変形しにくい。
【００５３】
（変形例）
以下に、変形例に係るプランジャ１１'について図面を参照しながら説明する。図１０は、変形例に係るプランジャ１１'の断面構造図である。図１１は、変形例に係るプランジャ１１'が、可動端子３０７に接触しているときの断面構造図である。
【００５４】
プランジャ１１'は、図１０に示すように、先端部１１'ａ、プランジャ本体１１'ｂ及びコイルばね７０を含んでいる。プランジャ本体１１'ｂは、下側に開口を有する真鍮製の筒状の部材である。プランジャ本体１１'ｂの内部には、先端部１１'ａ及びコイルばね７０が挿入されている。これにより、先端部１１'ａは、可動端子３０７により下側から押さえつけられた場合、コイルばね７０が縮んでプランジャ本体１１'ｂに対して上側に移動することができる。これにより、可動端子３０７の破損が防止されている。
【産業上の利用可能性】
【００５５】
以上のように、本発明は、検査用同軸コネクタ及びレセプタクルに有用であり、特に、可動端子が固定端子に対して鉛直方向の下側から圧接しているレセプタクルの固定端子側の電気的特性を検査できる点において優れている。
【符号の説明】
【００５６】
１  検査用同軸コネクタ
１０ プローブ
１１，１１' プランジャ
１１ａ，１１’ａ  先端部
１１ｂ，１１’ｂ  プランジャ本体
２０ ブッシング
２５  ハウジング
２５ａ  上部
２５ｂ  下部
２６ａ  先端部
２６ｂ  突部
３００  レセプタクル
３０１  上ケース
３０３  下ケース
３０５  外部導体
３０６  固定端子
３０７  可動端子
【図１】
0005126310.tif 000002
【図２】
0005126310.tif 000003
【図３】
0005126310.tif 000004
【図４】
0005126310.tif 000005
【図５】
0005126310.tif 000006
【図６】
0005126310.tif 000007
【図７】
0005126310.tif 000008
【図８】
0005126310.tif 000009
【図９】
0005126310.tif 000010
【図１０】
0005126310.tif 000011
【図１１】
0005126310.tif 000012
【図１２】
0005126310.tif 000013
【図１３】
0005126310.tif 000014
【図１４】
0005126310.tif 000015
【図１５】
0005126310.tif 000016
【図１６】
0005126310.tif 000017